(57)【要約】【課題】年々大型化するプラズマディスプレイ装置において、充分な放熱性を発揮するとともに、軽量に優れたシャーシ部材を備えたプラズマディスプレイ装置を提供することを目的とする。【解決手段】少なくとも前面側が透明な一対の基板を基板間に放電空間が形成されるように対向配置しかつ複数の放電セルを有するパネル１０と、このパネル１０を保持するシャーシ部材１４とを備え、かつ前記シャーシ部材１４は多孔質構造の金属部材により構成したことを特徴とする。この構成により、軽量かつ充分な放熱性を備えたシャーシを得ることができ、プラズマディスプレイ装置を軽量化することができる。また、シャーシの軽量化により、シャーシ単体の輸送コストを下げるとともに、製造工程における作業効率を飛躍的に向上させることができる。【選択図】図２
2008304506.tif 000002
【特許請求の範囲】
【請求項１】
少なくとも前面側が透明な一対の基板を基板間に放電空間が形成されるように対向配置しかつ複数の放電セルを有するパネルと、このパネルを保持するシャーシ部材とを備え、かつ前記シャーシ部材は多孔質構造の金属部材により構成したことを特徴とするプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイ装置は、視認性に優れた表示パネル（薄型表示デバイス）として注目されており、高精細化および大画面化が進められている。
【０００３】
このようなプラズマディスプレイ装置においては、画面を表示するパネルの保持と、パネルを動作させる駆動回路の設置の為にシャーシ部材が設けられている。従来、このシャーシ部材は、発熱と軽量化の観点から厚さ２〜３ｍｍ程度のアルミニウム単板を補強材で補強して用いるのが一般的であった。また、中空部を有したパイプを連結した構成で、風の通路を利用してシャーシ部材の放熱をさせ、変形を起こさないシャーシ部材もある（特許文献１）。
【特許文献１】特開平１１−２３３９６７号公報
【発明の開示】
【発明が解決しようとする課題】
【０００４】
このようなプラズマディスプレイ装置において、年々大型化するサイズ毎にアルミニウム単板を補強材で補強してなる従来のシャーシ部材では、簡便な壁掛けテレビの実現に必要な軽量化が難しい。
【０００５】
本発明は充分な放熱性を発揮するとともに、軽量に優れたシャーシ部材を備えたプラズマディスプレイ装置を提供することを目的とする。
【課題を解決するための手段】
【０００６】
上記目的を達成するために本発明のプラズマディスプレイ装置は、少なくとも前面側が透明な一対の基板を基板間に放電空間が形成されるように対向配置しかつ複数の放電セルを有するパネルと、このパネルを保持するシャーシ部材とを備え、かつ前記シャーシ部材は多孔質構造の金属部材により構成したことを特徴とする。
【発明の効果】
【０００７】
この構成により、軽量かつ充分な放熱性を備えたシャーシを得ることができ、プラズマディスプレイ装置を軽量化することができる。また、シャーシの軽量化により、シャーシ単体の輸送コストを下げるとともに、製造工程における作業効率を飛躍的に向上させることができる。
【発明を実施するための最良の形態】
【０００８】
以下、本発明の一実施の形態によるプラズマディスプレイ装置について、図１〜図３を用いて説明するが、本発明の実施の態様はこれに限定されるものではない。
【０００９】
図１にプラズマディスプレイ装置におけるパネルの構造を示している。図１に示すように、ガラス基板などの透明な前面側の基板１上には、走査電極と維持電極とで対をなすストライプ状の表示電極２が複数列形成され、そしてその電極群を覆うように誘電体層３が形成され、その誘電体層３上には保護膜４が形成されている。
【００１０】
また、前記前面側の基板１に対向配置される背面側の基板５上には、走査電極及び維持電極の表示電極２と交差するように、オーバーコート層６で覆われた複数列のストライプ状のデータ電極７が形成されている。このデータ電極７間のオーバーコート層６上には、データ電極７と平行に複数の隔壁８が配置され、この隔壁８間の側面およびオーバーコート層６の表面に蛍光体層９が設けられている。
【００１１】
これらの基板１と基板５とは、走査電極および維持電極の表示電極２とデータ電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とデータ電極７との交点が位置する複数の放電セルが設けられ、その各放電セルには、赤色、緑色及び青色となるように蛍光体層９が一色ずつ順次配置されている。
【００１２】
このような電極構成のプラズマディスプレイパネルにおいては、データ電極と走査電極の間に書き込みパルスを印加することにより、データ電極と走査電極の間でアドレス放電を行い、放電セルを選択した後、走査電極と維持電極との間に、交互に反転する周期的な維持パルスを印加することにより、走査電極と維持電極との間で維持放電を行い、所定の表示を行うものである。
【００１３】
図２に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銅メッシュの挿入及び、銀蒸着が施されている。さらに、バックカバー１２には、パネル１０等で発生した熱を外部に放出するための複数の通気孔１２ａが設けられている。
【００１４】
前記パネル１０は、アルミニウム等からなる放熱板を兼ねた保持板としてのシャーシ部材１４の前面に熱伝導性接着材を介して接着することにより保持され、そしてシャーシ部材１４の後面側には、パネル１０を表示駆動させるための複数の回路ブロック１５が取り付けられている。前記熱伝導性接着材は、パネル１０で発生した熱をシャーシ部材１４に効率よく伝え、放熱を行うためのものである。また、回路ブロック１５はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。また、シャーシ部材１４の後面には、回路ブロック１５を取り付けたり、バックカバー１２を固定したりするためのボス部１４ａが突設されている。１４ｂはシャーシ部材のねじれなどを防止する補強材である。
【００１５】
図３に本発明によるシャーシ部材１４を構成している金属部材の断面図を示す。図３から明らかなように、シャーシ部材１４は、多孔質構造の吸音材材料で構成されており、材料中に中空部１４ｃが無数に点在しているので、同一体積であれば比重が小さくなる。したがって、同じ構造のシャーシ部材１４を多孔質構造のアルミニウムの吸音材で構成すれば、アルミニウム単板と比較して軽量化することができる。シャーシ部材１４の軽量化により、シャーシ単体の輸送コストを下げるとともに、製造工程における作業効率を飛躍的に向上させることができるので、グローバルな大量生産に適している。そして、本発明のシャーシ部材をセットに組み込むことで、軽量化されたプラズマディスプレイ装置を得ることができる。
【００１６】
一方、シャーシ部材１４に必要な放熱性は損なわれてはならない。本発明のシャーシ部材１４は、アルミニウム吸音材により構成されているので、ＰＤＰに画像を表示させた場合に、パネルから発生する熱に対して充分に放熱することができる。本発明者らの実験によれば、厚み２ｍｍの本発明のシャーシ部材１４を、パネル１０に貼り付けて実機で確認したところ、実用画面において、充分に温度が飽和した状態で温度比較を行った場合、従来とほぼ同等の結果を示した。シャーシ部材１４の厚みは、各サイズに合わせた強度、熱容量の設計で適宜に設定することができる。また、シャーシ部材１４の一部である補強材１４ｂについても、シャーシ部材１４と同様に多孔質構造を有する軽量なアルミニウム吸音材により構成すれば、更に軽量化が可能となる。
【００１７】
また、大型化するプラズマディスプレイにおいては、回路ブロック１５や冷却ファン１８自体も大型化するのでノイズが問題になる。本発明のシャーシ部材１４は吸音材で構成されているので、一般騒音５００〜４０００Ｈｚ前後から８０００Ｈｚ以上の高周波音までの騒音を低減することができる。吸音材は遮音と異なり、振動エネルギーを摩擦熱に変換してエネルギーを低減しているので、近くに配置されるだけでも効果的である。つまり、設計段階において、適宜に設計することにより、例えばＰＤＰに画像情報を表示させた場合にＰＤＰおよび駆動回路ブロック１５、ファン１８などから発生する騒音に対する静粛性を充分なものとすることができる。
【００１８】
以上述べたようなシャーシ部材をパネルの背面に設ける構成により、プラズマディスプレイ装置を軽量化しながら、充分な放熱性を備えたシャーシを得ることができる。本発明のシャーシ部材１４は、従来の厚さ２〜３ｍｍ程度のアルミニウム単板をアルミニウム補強材で補強したものと比較して、厚みが同程度であれば３割程度の軽量化が可能となる。また、軽量化したにもかかわらず、アルミニウムから構成されているので従来と同等の放熱特性を得ることができる。
【産業上の利用可能性】
【００１９】
以上の説明から明らかなように、本発明にかかるプラズマディスプレイ装置によれば、軽量かつ充分な放熱性を備えたシャーシを得ることができ、簡便な壁掛けテレビに必要な軽量化を行うことができる。
【図面の簡単な説明】
【００２０】
【図１】本発明の一実施の形態によるプラズマディスプレイ装置のパネル構造を示す斜視図
【図２】プラズマディスプレイ装置の内部構成を示す分解斜視図
【図３】同プラズマディスプレイ装置のシャーシ部材を構成する金属部材の断面図
【符号の説明】
【００２１】
１０  パネル
１４  シャーシ部材
１４ｃ  中空部
【図１】
2008304506.tif 000003
【図２】
2008304506.tif 000004
【図３】
2008304506.tif 000005